(57)【特許請求の範囲】
【請求項１】
矩形状の底板の対向する一対の辺に上方に向けて突出した第１の立ち上がり突部にそれぞれ回動自在に取付けた一対の第１の側板と、対向する他の一対の辺に上方に向けて突出した上記第１の立ち上がり突部よりも背の低い第２の立ち上がり突部にそれぞれ回動自在に取付けた一対の第２の側板とを、一対の第２の側板を倒した上に一対の第１の側板を倒した状態で折り畳み且つ一対の第１の側板を起立させた後に一対の第２の側板を起立させて箱形状に組み立て、起立状態で第２の側板の両端部を支持して第２の側板が起立状態で外側に倒れるのを防止するための支持突部を第１の側板の両端部に突設し、対をなす第１の側板を倒した状態で両端部の支持突部を底板に設けた受け凹部に嵌め込むようにした折り畳みコンテナの製造方法であって、高さが異なり且つ支持突部の突出位置のレベル又は支持突部の上下巾の異なる複数種類の第１の側板と、該高さの異なる複数種類の第１の側板に対応した高さの異なる複数種類の第２の側板を用意し、上記受け凹部を底板から突出した第２の側板を回動自在に取付ける第２の立ち上がり突部に設け、該受け凹部を上記複数種類の支持突部のいずれも嵌め込むことができる大きさに形成し、底板を共用化して該底板に任意の種類の第１の側板及びこれに対応した第２の側板を選択して回動自在に取付けて折り畳みコンテナを組み立てることを特徴とする折り畳みコンテナの製造方法。
【発明の詳細な説明】
【０００１】
【発明の属する技術分野】
本発明は、折り畳みコンテナの製造方法に関するものである。
【０００２】
【従来の技術】
従来から、矩形状の底板の対向する一対の辺に上方に向けて突出した第１の立ち上がり突部にそれぞれ回動自在に取付けた一対の第１の側板と、対向する他の一対の辺に上方に向けて突出した上記第１の立ち上がり突部よりも背の低い第２の立ち上がり突部にそれぞれ回動自在に取付けた一対の第２の側板とを、一対の第２の側板を倒した上に一対の第１の側板を倒した状態で折り畳み且つ一対の第１の側板を起立させた後に一対の第２の側板を起立させて箱形状に組み立て、起立状態で第２の側板の両端部を支持して第２の側板が起立状態で外側に倒れるのを防止するための支持突部を第１の側板の両端部に突設し、対をなす第１の側板を倒した状態で両端部の支持突部を底板の第２の立ち上がり突部に設けた受け凹部に嵌め込むようにした折り畳みコンテナが知られている。
【０００３】
上記折り畳みコンテナは起立状態で第２の側板の両端部を支持して第２の側板が起立状態で外側に倒れるのを防止するための支持突部を第１の側板の両端部に内方に向けて突設してある。
【０００４】
そして、折り畳みコンテナを折り畳んだ場合、第１の側板の両端部に内方に向けて突出した支持突部が背の低い方の第２の立ち上がり突部の上面に当接するようにしている。このように支持突部を軸を軸支するための背の低い方の立ち上がり突部の上面に当接するので、支持突部の突出長さ分だけ折り畳みコンテナの折り畳み状態における嵩が高くなり、保管や搬送に要する流通コストが高くなってしまう。
【０００５】
そこで、本発明者は、背の低い方の軸を支持するための立ち上がり突部の一部を凹ませて受け凹部を形成し、折り畳み状態において支持突部を受け凹部内に嵌め込むようにし、これにより第１の側板の両端部に内方に向けて支持突部を突設したにもかかわらず、折り畳んだ状態における嵩を低くできるようにすることを考えた。
【０００６】
ところが、折り畳みコンテナには平面視における大きさは同じで高さの異なる折り畳みコンテナが複数種類あり、側板の高さは異なるものであり、支持突部のレベルや形状も異なってしまう。このため、底板の第２の立ち上がり突部に形成する受け凹部の位置も側板の種類の違いに応じて異なることになる。したがって、従来にあっては、平面視における大きさが同じで高さが異なる折り畳みコンテナを製造するに当たっては、高さの異なるものに対応した専用の側板だけでなく、専用の底板をそれぞれ用意して製造しなければならず、製造コストが高くなるという問題がある。
【０００７】
【発明が解決しようとする課題】
本発明は上記の問題点に鑑みて発明したものであり、平面視における大きさが同じで高さの異なる複数種類の折り畳みコンテナを製造するに当たって、異なる種類の側板に対して、底板を共通化して製造することができる折り畳みコンテナの製造方法を提供することを課題とするものである。
【０００８】
【課題を解決するための手段】
上記課題を達成するため本発明折り畳みコンテナの製造方法は、矩形状の底板１の対向する一対の辺に上方に向けて突出した第１の立ち上がり突部１２ａにそれぞれ回動自在に取付けた一対の第１の側板２ａと、対向する他の一対の辺に上方に向けて突出した上記第１の立ち上がり突部１２ａよりも背の低い第２の立ち上がり突部１２ｂにそれぞれ回動自在に取付けた一対の第２の側板２ｂとを、一対の第２の側板２ｂを倒した上に一対の第１の側板２ａを倒した状態で折り畳み且つ一対の第１の側板２ａを起立させた後に一対の第２の側板２ｂを起立させて箱形状に組み立て、起立状態で第２の側板２ｂの両端部を支持して第２の側板２ｂが起立状態で外側に倒れるのを防止するための支持突部１０を第１の側板２ａの両端部に突設し、対をなす第１の側板２ａを倒した状態で両端部の支持突部１０を底板１に設けた受け凹部１６に嵌め込むようにした折り畳みコンテナの製造方法であって、高さが異なり且つ支持突部１０の突出位置のレベル又は支持突部１０の上下巾の異なる複数種類の第１の側板２ａと、該高さの異なる複数種類の第１の側板２ａに対応した高さの異なる複数種類の第２の側板２ｂを用意し、上記受け凹部１６を底板１から突出した第２の側板２ｂを回動自在に取付ける第２の立ち上がり突部１２ｂに設け、該受け凹部１６を上記複数種類の支持突部１０のいずれも嵌め込むことができる大きさに形成し、底板１を共用化して該底板１に任意の種類の第１の側板２ａ及びこれに対応した第２の側板２ｂを選択して回動自在に取付けて折り畳みコンテナを組み立てることを特徴とするものである。このような方法を採用することで、高さの異なる折り畳みコンテナを製造するに当たり、底板１を共用化して、折り畳み時に異なる側板の支持突部１０を、第２の側板２ｂを回動自在に取付けた第２の立ち上がり突部１２ｂに設けた受け凹部１６に収めて嵩を低くできる折り畳みコンテナを製造することができるものである。
【０００９】
【発明の実施の形態】
以下本発明の実施形態につき説明する。
【００１０】
折り畳みコンテナ４は、合成樹脂製の矩形状の底板１の対向する一対の辺にそれぞれ回動自在に取付けた一対の第１の側板２と、対向する他の一対の辺に回動自在に取付けた一対の第２の側板２とを、一対の第１の側板２を倒した上に一対の第２の側板２を倒した状態で折り畳み且つ一対の第２の側板２ｂを起立させた後に一対の第１の側板２を起立させて箱形状に組み立てるようになっている。
【００１１】
折り畳みコンテナ４は底板１が長方形をしていて折り畳んだ際に平面視長方形となり且つ箱状に組み立てた際に平面視長方形の箱となるタイプのものと、底板１が正方形をしていて折り畳んだ際に平面視正方形となり且つ箱状に組み立てた際に平面視正方形の箱となるタイプのものとがあり、本発明においては上記いずれのタイプの折り畳みコンテナであってもよいものであるが、添付図面には底板１が長方形をしている実施形態を示している。以下、底板１が長方形の場合を例として説明する。そして、以下の説明においては、第１の側板２を長辺側の側板２ａとし、第２の側板２を短辺側の側板２ｂとして説明する。
【００１２】
合成樹脂製の長方形状の底板１の対となった長辺側の各辺には第１の立ち上がり突部１２ａが突設してあり、また、短辺側の各辺には上記第１の立ち上がり突部１２ａよりも背の低い第２の立ち上がり突部１２ｂが突設してある。
【００１３】
短辺側に設けた背の低い方の立ち上がり突部１２ｂには受け凹部１６が形成してある。
【００１４】
長辺側の側板２ａの内面の両端部には折り畳みコンテナ４を箱状に組み立てた際に、短辺側の側板２ｂの外面の端部を支持して短辺側の側板２ｂが外側に倒れるのを防止するための支持突部１０が内方に向けて突設してある。この支持突部１０は短辺側の側板２ａの内面に沿う方向に開口した係合凹部１１が形成してある。また、短辺側の側板２ａの端部には係止部が設けてあり、係止部に隣接して切り込み孔を形成して切り込み孔に囲まれたＵ字状の部分を弾性を有する操作部２２ａとしてある。
【００１５】
短辺側の側板２ｂの外面の両端部には段部１３が形成してあり、段部１３には係合凹部１１に嵌め込まれる係合突部１４が突設してある。また、短辺側の側板２ｂの端部には被係止部１５が設けてある。
【００１６】
長辺側の側板２ａ、短辺側の側板２ｂとしては、組み立てようとする折り畳みコンテナ４の高さに応じ、それぞれ複数種類の高さのものを用意するものである。ここで、高さの異なる長辺側の側板２ａに設ける支持突部１０の突出位置のレベル又は支持突部の上下巾は側板２ａの高さの違いに対応して異なっている。
【００１７】
また、上記長辺側の側板２ａ及び短辺側の側板２ｂの下端部にはそれぞれ回動用突部３０が垂設してある。
【００１８】
しかして、折り畳みコンテナ４の製造に当たっては、上記のような底板１を１種類、長辺側の側板２ａ、短辺側の側板２ｂをそれぞれ高さの異なるものを複数種類用意する。そして、底板１を共用化して該底板１に任意の種類の側板２（つまり任意の高さの長辺側の側板２ａ、短辺側の側板２ｂ）を選択して回動自在に取付けて目的とする高さの折り畳みコンテナ４を製造するものである。この場合、長辺側の側板２ａの下端部の回動用突部３０ａを第１の立ち上がり突部１２ａの溝内に挿入し、立ち上がり突部１２ａの溝内において立ち上がり突部１２ａと回動用突部３０ａとを横軸部９ａにより回動自在に軸支し、また、短辺側の側板２ｂの下端部の回動用突部３０ｂを第２の立ち上がり突部１２ｂの溝内に挿入し、立ち上がり突部１２ｂの溝内において立ち上がり突部１２ｂと回動用突部３０ｂとを横軸部９ｂにより回動自在に軸支することで、折り畳みコンテナ４を製造するものである。
【００１９】
ここで、対となった短辺側の側板２ｂの短辺側の両側板２ｂの底板１への各枢支部分の高さ位置（横軸部９ｂ、９ｂの高さ位置）は同じ高さ位置となっている。また、対となった長辺側の両側板２ａの底板１への各枢支部分の高さ位置（横軸部９ａ、９ａの高さ位置）は同じ高さ位置となっている。そして、短辺側の側板２ｂの底板１への枢支位置（横軸部９ｂ、９ｂの高さ位置）と長辺側の側板２ａの底板１への枢支部分の高さ位置（横軸部９ａ、９ａの高さ位置）とは高さを違わせてあり、短辺側の側板２ｂの枢支部分の高さ位置よりも短辺側の側板２ａの枢支部分の高さ位置を高くしてある。
【００２０】
上記のように組み立て形成した折り畳みコンテナ４は、倒れている長辺側の両側板２ｂをそれぞれ回動して起立させ、その後、図８乃至図１０のように短辺側の両側板２ａを起立させて図３乃至図５に示すように箱状とするものである。この箱状にした状態では、長辺側の側板２ａの内面の両端部がこれと対向する短辺側の側板２ｂの両側端面部に対向して長辺側の側板２ａが内側に倒れないように支持され、また、支持突部１０が段部１３がはまり込んで短辺側の側板２ｂが支持突部１０により外側に倒れるのが防止され、係合突部１３が係合凹部１１に係合して短辺側の側板２ａが外側に倒れるのが防止され、係止部が被係止部１５に弾性的に係止することで短辺側の側板２ｂが内側に倒れるのが防止されるようになっている。
【００２１】
このようにして折り畳みコンテナを箱状に組み立て、箱状の内部に収納物を収納して搬送したり、保管したりするのである。
【００２２】
一方、折り畳むに当たっては、長辺側の側板２ａと短辺側の側板２ｂとの結合を解除するには、図１０（ａ）の矢印のように操作部２２ａを押して操作部２２ａにより被係止部２０を押すことで被係止部２０を係止部から外し、この状態で短辺側の側板２ｂを内側に倒すことで、係合突部１４を係合凹部１１から外し、その後、図１、図２に示すように、先に底板１の上に短辺側の側板２ｂを折り畳んで重ね、次に、短辺側の側板２ａを折り畳んで端辺側の側板２ａの上に重ね、長辺側の第１の側板２ａの両端部に設けた支持突部１０を底板１の第２の立ち上がり突部９ｂに設けた受け凹部１６に嵌め込むものである。このように、支持突部１０を底板１の第２の立ち上がり突部９ｂに設けた受け凹部１６に嵌め込むことで、折り畳んだ状態の嵩を低くすることができるものである。
【００２３】
ところで、本発明においては、上記底板の第２の立ち上がり突部９ｂに設けた受け凹部１６を上記高さの異なる複数種類の長辺側の側板２ａに設けた各支持突部１０のいずれも嵌め込むことができる大きさに形成してあることに特徴があり、これにより、底板１を共用化して該底板１に任意の種類の側板を選択して回動自在に取付けて折り畳みコンテナ４を形成しても、側板２の高さにより異なる位置に位置する支持突部１０を確実に受け凹部１６内に嵌め込んで、折り畳んだ状態における嵩を低くできるものである。
【００２４】
図６、図７には共通の底板１に高さの異なる側板２を回動自在に取付けて製造した高さの異なる折り畳みコンテナ４が示してある。
【００２５】
【発明の効果】
本発明にあっては、上述のように、高さが異なり且つ支持突部の突出位置のレベル又は支持突部の上下巾の異なる複数種類の第１の側板と、該高さの異なる複数種類の第１の側板に対応した高さの異なる複数種類の第２の側板を用意し、上記受け凹部を底板から突出した第２の側板を回動自在に取付ける第２の立ち上がり突部に設け、該受け凹部を上記複数種類の支持突部のいずれも嵌め込むことができる大きさに形成し、底板を共用化して該底板に任意の種類の第１の側板及びこれに対応した第２の側板を選択して回動自在に取付けて折り畳みコンテナを組み立てるので、平面視における大きさが同じで高さの異なる複数種類の折り畳みコンテナを製造するに当たって、異なる種類の側板に対して、底板を共通化して製造することができ、しかも、このように底板を共用化して、底板から突出した第２の側板を回動自在に取付ける第２の立ち上がり突部に設けた受け凹部を上記複数種類の支持突部のいずれも嵌め込むことができる大きさに形成してあることで、折り畳み時に異なる種類の側板の支持突部を第２の側板を回動自在に取付ける第２の立ち上がり突部に設けた受け凹部に収めることができて折り畳んだ状態における嵩を低くできると共に、支持突部が第２の立ち上がり部の外方にはみ出したりせず、支持突部の収まり状態の良い折り畳みコンテナを製造することができ、この結果、高さの異なる折り畳みコンテナの製造に当たっての製造コストを低下できるという利点がある。
【図面の簡単な説明】
【図１】本発明の折り畳んだ状態の斜視図である。
【図２】同上の折り畳んだ状態の側面図である。
【図３】同上の箱状に組み立てた状態の斜視図である。
【図４】同上の側面図である。
【図５】同上の断面図である。
【図６】同上の側板の高さの異なる折り畳みコンテナの折り畳んだ状態の斜視図である。
【図７】同上の側板の高さの異なる折り畳みコンテナの折り畳んだ状態の斜視図である。
【図８】同上の長辺側の側板を起立させた後に短辺側の側板を起立して入る途中の斜視図である。
【図９】同上の長辺側の側板を起立させた後に短辺側の側板を起立して入る途中の他の方向から見た斜視図である。
【図１０】（ａ）は同上の係止部と被係止部との係止部分の断面図であり、（ｂ）は同上の長辺側の側板を起立させた後に短辺側の側板を起立している途中の断面図である。
【符号の説明】
１  底板
２  側板
２ａ  短辺側の側板
２ｂ  長辺側の側板
４  折り畳みコンテナ
１０  支持突部
１２ａ  第１の立ち上がり突部
１２ｂ  第２の立ち上がり突部
【図１】
0004464530.tif 000002
【図２】
0004464530.tif 000003
【図３】
0004464530.tif 000004
【図４】
0004464530.tif 000005
【図５】
0004464530.tif 000006
【図６】
0004464530.tif 000007
【図７】
0004464530.tif 000008
【図８】
0004464530.tif 000009
【図９】
0004464530.tif 000010
【図１０】
0004464530.tif 000011